(57)【特許請求の範囲】
【請求項１】
ハウス空間を形成するための構造体と、前記構造体に支持されハウス空間を覆う光透過性被覆材と、を備えた農業用ハウスにおいて、
前記光透過性被覆材は、５００〜６００ｎｍの波長領域の光に対する透過率が１％以下の材料を用いたことを特徴とする農業用ハウス。
【請求項２】
５００〜６００ｎｍの波長領域内にピーク波長を持つ特性、又は５００〜６００ｎｍの波長領域の放射エネルギ総和が他の波長領域の放射エネルギ総和よりも大きい分光特性を有する、害虫を誘引する誘引光を発する誘引光源部と、前記誘引光源部から発せられた誘引光により誘引された害虫を捕獲する捕獲部と、をハウス空間内に設置したことを特徴とする請求項１に記載の農業用ハウス。
【発明の詳細な説明】
【技術分野】
【０００１】
本発明は、昼行性害虫に対する防虫機能を有する農業用ハウスに関する。
【背景技術】
【０００２】
従来から、農業用ハウスのハウス空間を覆う光透過性被覆材として、波長領域が５００〜６２０［ｎｍ］の光線を選択的に吸収する紫色顔料又は染料を含有し、作物促成のため全光線透過率が５０〜８９［％］とされたものが知られている（例えば、特許文献１参照）。上記波長領域の光線は、長日性のほうれん草又は軟弱野菜の生育に寄与しない光線であり、この光透過性被覆材を農業用ハウスに用いれば、ハウス内のほうれん草又は軟弱野菜に照射されるそのような光線を減らすことができる。
【０００３】
ところで、農業用ハウスには、作物を食べる昼行性害虫が侵入することがあり、昼行性害虫による作物被害を防ぐことが要請されている。作物の葉又は茎等は緑色、黄緑色又は黄色の光のみを反射し、他の色の光は吸収し、このため、緑色、黄緑色又は黄色に見える。昼行性害虫は、作物から反射されるそれらの色の光を感知し、これにより、視認対象が作物であることを認知する。
【０００４】
上記光透過性被覆材を農業用ハウスに用いた場合、５００〜６２０［ｎｍ］の波長領域の光のハウス内への出射が光透過性被覆材により抑制されるので、当該波長領域に含まれる緑色、黄緑色及び黄色の光のハウス内への出射が抑えられ、結果として、作物により反射されるそれらの色の光量が少なくなる。このため、昼行性害虫が作物を認知し難くなり、従って、昼行性害虫による作物被害の抑制効果を得られることが想定される。
【０００５】
しかしながら、外部からハウスに入射する緑色、黄緑色又は黄色の光のうちの５０〜８９［％］はハウス内へ出射されるので、昼行性害虫が作物を緑色、黄緑色又は黄色と視認し、作物として認知することは十分に可能である。従って、昼行性害虫による作物被害の十分な防止効果を得ることは難しい。
【先行技術文献】
【特許文献】
【０００６】
【特許文献１】特開平８−１４０５００号公報
【発明の概要】
【発明が解決しようとする課題】
【０００７】
本発明は、上記の従来の問題を解決するためになされたものであり、昼行性害虫による作物被害防止効果の向上を図ることができる農業用ハウスを提供することを目的とする。
【課題を解決するための手段】
【０００８】
上記目的を達成するために請求項１の発明は、ハウス空間を形成するための構造体と、前記構造体に支持されハウス空間を覆う光透過性被覆材と、を備えた農業用ハウスにおいて、前記光透過性被覆材は、５００〜６００ｎｍの波長領域の光に対する透過率が１％以下の材料を用いたものである。
【０００９】
請求項２の発明は、請求項１に記載の農業用ハウスにおいて、５００〜６００ｎｍの波長領域内にピーク波長を持つ特性、又は５００〜６００ｎｍの波長領域の放射エネルギ総和が他の波長領域の放射エネルギ総和よりも大きい分光特性を有する、害虫を誘引する誘引光を発する誘引光源部と、前記誘引光源部から発せられた誘引光により誘引された害虫を捕獲する捕獲部と、をハウス空間内に設置したものである。
【発明の効果】
【００１０】
請求項１の発明によれば、作物の葉又は茎等は緑色、黄緑色又は黄色の色の光のみを反射するが、光透過性被覆材を透過してハウス空間内に入射する自然光は、それらの色の光が含まれる５００〜６００ｎｍの波長範囲の光を殆んど含まないので、昼行性害虫がハウス内に侵入したとしても、作物は上述の色の光を殆んど反射しないことから、昼行性害虫は作物を認知し難い。従って、昼行性害虫が作物に留まることが殆んどなくなり、昼行性害虫による食害等の作物被害の防止効果が高まる。
【００１１】
請求項２の発明によれば、誘引光源部から５００〜６００ｎｍの波長範囲内の光、すなわち、作物の葉又は茎と略同色又はそれに近い色の光が他の波長の光よりも強く照射され、これにより、昼行性害虫は誘引光源部を葉と勘違いしてそれに誘引され、この誘引された昼行性害虫は捕獲部により捕獲されるので、昼行性害虫による作物被害をさらに抑えることができる。
【図面の簡単な説明】
【００１２】
【図１】本発明の第１の実施形態に係る農業用ハウスの斜視図。
【図２】上記実施形態の一変形例に係る農業用ハウスの光透過性被覆材の分光透過率を示す図。
【図３】本発明の第２の実施形態に係る農業用ハウスの斜視図。
【図４】（ａ）は上記農業用ハウスの害虫誘引捕獲器の正面図、（ｂ）はその側面図。
【図５】昼行性害虫の分光相対感度と作物の葉の分光反射率とを示す図。
【発明を実施するための形態】
【００１３】
以下、本発明の第１の実施形態に係る農業用ハウス（以下、ハウスという）について図１を参照して説明する。図１は、本実施形態のハウスの構成を示す。このハウス１は、ハウス空間を形成するための構造体２と、構造体２に支持されハウス空間を覆う光透過性被覆材（以下、被覆材という）３と、を備えている。ハウス空間内の土壌には作物Ｐ１が育成又は栽培されている。被覆材３は、作物Ｐ１の葉又は茎等と略同色又はそれに近い色の光、すなわち、作物Ｐ１により反射される緑色、黄緑色又は黄色（以下、纏めて緑色という）の光、例えば、略５００〜６００ｎｍの波長領域の光に対する透過率が所定値以下の材料が用いられる。その値は、緑色の光が作物Ｐ１により反射され、昼行性害虫（以下、害虫という）Ｂ１が作物Ｐ１を見つけたとしても、それが緑色であることを害虫Ｂ１が感知できず、そのためにそれが作物Ｐ１であることを認知できない程度であり、例えば略１［％］以下である。
【００１４】
構造体２は、防錆のためメッキ処理された鋼管により構成された躯体、すなわち、骨組みである。この骨組みは、上記鋼管が円弧状に湾曲形成されて成りハウス前面から背面方向に配列されるアーチ部材２１と、ハウス前面から背面方向に延び、これらアーチ部材２１と連結される棒状部材２２とにより構成される。アーチ部材２１の両端は地面に固定される。構造体２には補強用の筋交い等が設けられていてもよい。
【００１５】
被覆材３は、フィルム材、板ガラス、又は樹脂板材等により構成される。フィルム材としては、ポリ塩化ビニルフィルム、農業用ポリオレフィン系フィルム又はフッ素樹脂フィルム等を用いることができ、樹脂板材の材料としては、アクリル樹脂又はポリカーボネイト等を用いることができる。被覆材３は、略５００〜６００ｎｍの波長領域の光透過率が例えば略１［％］以下となるように、例えばフタロシアニンブルー、マゼンタ又はミネラルバイオレット等の顔料若しくは染料が基材中に配合されて成る。フィルム材の場合、当該フィルム材は、パッカ等のプラスチック製又は金属製止め具により構造体２の鋼管に押し付けられて取り付けられる。このフィルム材には、その一方の側部から他方の側部にかけて上方から樹脂紐が渡され、これにより、構造体２への取り付け補強がなされていてもよい。
【００１６】
上記のように構成されたハウス１においては、作物Ｐ１の葉又は茎等は緑色の光のみを反射するが、被覆材３を透過してハウス空間内に入射する自然光は、その色の光が含まれる５００〜６００［ｎｍ］の波長範囲の光を殆んど含まないので、作物Ｐ１は緑色の光を殆んど反射しない。従って、害虫Ｂ１がハウス１内に侵入して作物Ｐ１を見たとしても、それを作物Ｐ１として認知し難い。そのため、害虫Ｂ１が作物Ｐ１に留まることが殆んどなくなり、害虫Ｂ１による食害等の作物被害の防止効果が高まる。
【００１７】
次に、上記実施形態の一変形例に係るハウス１について図２を参照して説明する。図２は、本変形例のハウス１の被覆材３の分光透過率を示す。被覆材３は、その光透過率が略５００〜５２０［ｎｍ］の波長領域の光に対しては略２０［％］以下となり、略５２０〜５６０［ｎｍ］の波長領域の光に対しては略１０［％］以下となり、略５６０〜６００［ｎｍ］の波長領域の光に対しては略１［％］以下となるように構成されている。
【００１８】
次に、本発明の第２の実施形態に係るハウスについて図３〜図５を参照して説明する。図３は本実施形態のハウスの構成を示し、図４（ａ）（ｂ）はこのハウスが有する害虫誘引捕獲器の構成を示す。本実施形態のハウス１のハウス空間内には、害虫Ｂ１を誘引する誘引光を発する局部照明用の誘引光源部４と、誘引光源部４から発せられた誘引光により誘引された害虫Ｂ１を捕獲する捕獲部５とを有する害虫誘引捕獲器６が設置されている。上記の誘引光は、略５００〜６００ｎｍの波長領域内にピーク波長を有する。このピーク波長は、作物Ｐ１の葉又は茎等と略同色若しくはそれに近い色の光の波長範囲内に在ればよく、ピーク波長が在る波長領域は上記に限定されない。害虫誘引捕獲器６は、ハウス１内に複数台、互いに離間して配置されている。
【００１９】
誘引光源部４は、放電灯４１と、放電灯４１の放電を安定させるための安定器４２と、それらを支持する支持部材４３と、放電灯４１、安定器４２及び支持部材４３を収容する透光性を有したカバー４４とを備える。
【００２０】
放電灯４１は、その放射光が略５００〜６００［ｎｍ］の波長範囲内にピーク波長を有するように分光特性が調整されている。放電灯４１は、黄色蛍光ランプ又はナトリウムランプにより構成することができる。放電灯４１の替わりとして黄色ＬＥＤユニットが設けられていてもよい。
【００２１】
カバー４４は、光学フィルタ機能を有していてもよい。この場合、放電灯４１とカバー４４との組み合わせにより上記放電灯４１の分光特性が実現することができ、カバー４４は黄色カラーフィルタにより、放電灯４１は白色蛍光ランプ又は白色ＨＩＤランプにより構成することができる。
【００２２】
捕獲部５は、捕虫用の粘着シート５１と、上面が開口し、内側に粘着シート５１が設けられた樋状部材５２とを備える。粘着シート５１はカバー４４の光放射面近傍に配置されている。樋状部材５２は、樋状部材５２から上方に延びる支持部材５２ａによりカバー４４を支持し、樋状部材５２の上方に配置している。また、樋状部材５２には脚部５２ｂが取り付けられている。害虫誘引捕獲器６の構成は上記に限定されない。
【００２３】
害虫誘引捕獲器６は、例えば、ハウス１内の土壌の上に、畝Ｒ１に沿って設置され、適宜、複数又は単数列、設けられる。害虫誘引捕獲器６の誘引光源部４は、土壌付近又は作物Ｐ１の側方位置から上方又は側方へ誘引光を発する。害虫誘引捕獲器６は図示された台数及び配置に限定されない。
【００２４】
図５は、害虫Ｂ１の分光相対感度と、作物Ｐ１の葉の分光反射率とを示す。害虫Ｂ１は、作物Ｐ１と略同色又はそれに近い色の光、すなわち、略５００〜６００［ｎｍ］の波長範囲の光に対して感度を有している。また、作物Ｐ１の葉は、略５００［ｎｍ］以下の波長の光、及び略６００［ｎｍ］以上の波長の光に対しては反射率が略ゼロであり、略５００〜６００［ｎｍ］の波長範囲の光に対しては反射率が略１０［％］程度である。従って、誘引光源部４からの誘引光が作物Ｐ１の葉にも照射されるとしても、葉の反射率は１０［％］程度であるので、葉よりも誘引光源部４の方がはるかに輝度が高く、そのため、害虫Ｂ１は輝度の高い誘引光源部４の方に、より多く誘引される。
【００２５】
本実施形態においては、誘引光源部４から５００〜６００ｎｍの波長範囲内の光、すなわち、作物Ｐ１の葉又は茎と略同色又はそれに近い色の光が他の波長の光よりも強く照射され、これにより、害虫Ｂ１は誘引光源部４を葉と勘違いしてそれに誘引される。そして、この誘引された害虫Ｂ１は捕獲部５により捕獲される。このため、害虫Ｂ１による作物被害をさらに抑えることができる。
【００２６】
なお、本発明は、上記の各種実施形態の構成に限定されるものでなく、使用目的に応じ、様々な変形が可能である。例えば、構造体２は、コンクリート製の基礎の上に立設された、軽量鉄骨であるＨ鋼により構成されていてもよい。この場合、Ｈ鋼は適宜折り曲げられてハウス１の骨組みを形成する。
【００２７】
また、誘引光源部４は、ビニルハウスＨ１周辺に設置することもできる。また、誘引光源部４は、所定の波長範囲の光を吸収し他の波長範囲の光は反射する反射板等を有していても構わない。また、誘引光源部４は、放射光の略５００〜６００［ｎｍ］の波長範囲の放射エネルギ総和が他の波長範囲の放射エネルギ総和よりも大きくなるように分光特性が調整されていてもよい。また、誘引光源部４は、害虫Ｂ１が好む紫外線を放射してもよい。
【００２８】
また、捕獲部５は、電撃格子、略水平に置かれたカバー４４の上に配置され水が張られた透明な水盤、又はカバー４４の光放射面付近に気流を発生させて害虫Ｂ１を吸引する吸引装置等を有していてもよい。
【００２９】
また、害虫誘引捕獲器６は、誘引光源部４が捕獲部５のみに光を照射するように構成されていてもよい。この場合、例えば、放電灯４１を白色蛍光ランプ又は白色ＨＩＤランプ等の白色光源とし、捕獲部５は略５００〜６００［ｎｍ］の波長領域の光のみを反射し放射するように構成される。
【符号の説明】
【００３０】
１  農業用ハウス
２  構造体
３  光透過性被覆材
４  誘引光源部
５  捕獲部
【図１】
0005440025.tif 000002
【図２】
0005440025.tif 000003
【図３】
0005440025.tif 000004
【図４】
0005440025.tif 000005
【図５】
0005440025.tif 000006